(57)【特許請求の範囲】
【請求項１】
情報処理装置にリード線を介して接続された複数の接続端子の各先端を回路基板上の各配線パターンの端部に形成された導体膜上に当接させることにより、前記回路基板に搭載されて前記配線パターンに接続された書き換え可能なメモリに対して前記情報処理装置からの情報信号を授受させる、接続端子の保持治具において、
基軸を中心に開閉が可能な一対のアーム部材からなり、
それら一対のアーム部材の相互の他端側が圧縮ばねで付勢されて相互の一端側が閉じる方向に付勢され、使用者により前記各他端側が握持されて前記相互の一端側が圧縮ばねの付勢力に抗して開いた状態になり、使用者が前記各他端側の握持を解放すると前記相互の一端側が圧縮ばねの付勢力で閉じてそれら一端側相互の間で前記回路基板を両面から挟持が可能となるように構成されており、
いずれか一方のアーム部材の内面に、前記各接続端子が前記各導体膜と対向してその先端が突出するよう設けられるとともに、他方のアーム部材の内面に、前記各接続端子と対向して突部が設けられ、更に、いずれか一方のアーム部材の内面に一対の位置決めピンが突設されるとともに、他方のアーム部材の内面に、前記各位置決めピンと対向して嵌合が可能な位置決め穴が穿設されており、
前記一対の位置決めピンを、前記回路基板に貫設された一対の嵌通孔に嵌通させかつ前記一対のアーム部材の相互の一端側を閉じて前記位置決め孔に嵌合させることにより、前記回路基板と各アーム部材とが位置決めされて各接続端子の先端が各導体膜と当接するようになっていることを特徴とする接続端子の保持治具。
【請求項２】
前記回路基板の両面に前記配線パターンが形成されるとともに、前記導体膜が前記回路基板の両面で相互に対向配置されており、更に前記各突部が前記接続端子であることを特徴とする請求項１に記載の接続端子の保持治具。
【請求項３】
前記位置決めピンが断面円形であることを特徴とする請求項１又は２に記載の接続端子の保持治具。
【発明の詳細な説明】
【０００１】
【発明の属する技術分野】
本発明は、ＤＶＤディスクプレーヤやプリンタや携帯電話機等に用いられる回路基板に搭載されたフラッシュメモリ等の書き換え可能なメモリに対し、外部のパーソナルコンピュータやジッタ検査機器等の情報処理装置によって、プログラムやデータといった情報信号を書き込んだり、書き込まれた情報信号を検証したりするために、回路基板のメモリと情報処理装置とを一時的に接続する接続端子の保持治具に関する。
【０００２】
【従来の技術】
従来この種の保持治具としては、端部に複数の接続端子を有するコネクタ形式のものが一般的であり、例えば図４に示すように、情報処理装置（不図示）から延びるコード２０の先端にコネクタ部２１が設けられ、このコネクタ部２１の端部には複数の接続端子６が設けられていて、これら接続端子６は、コード２０で被覆保護されて情報処理装置に接続されたリード線７に接続されている。他方、回路基板３上には、書き換え可能なメモリ（不図示）に接続された複数の配線パターン（不図示）が形成され、これら配線パターンの各端部に銅等の導体膜１２が形成されていて、これら導体膜１２を取り囲むとともにコネクタ部２１と嵌合が可能なソケット部２２が設けられている。
【０００３】
このような構成のもと、コネクタ部２１をソケット部２２に挿入して嵌合させることにより、各接続端子６と各導体膜１２とが当接して導通し、これにより情報処理装置と回路基板３のメモリとが接続されて情報信号が授受されることになる。
【０００４】
【発明が解決しようとする課題】
しかし、このような回路基板３における配線パターン、導体膜１２及びソケット部２２は、情報処理装置とメモリ間の情報信号の授受の際にのみ用いられるもの、換言すれば、回路基板３本来の機能に対しては全く不要なものであるにもかかわらず、実質的に回路基板３に必要なものであるため、コスト低減化を阻害する一因となっている。特にソケット部２２は、個々の単価が高いためにコスト低減化を著しく阻害し、また、回路基板３上の占有スペース（面積や高さ）が大きいために設計面での自由度を制約するという問題がある。
【０００５】
このような問題に対して、例えば、特開２００１−１５８７９号公報では、回路基板３における配線パターンの経路に接続端子６を装着し得る大きさの貫通孔が貫設されるとともに、この貫通孔の内周面に導体膜が形成されており、接続端子６をその貫通孔に挿嵌することにより、接続端子６と導体膜１２とが当接して導通するようになっている。従って、ソケット部２２を設ける必要がないことから、コスト低減化に対しては一応は期待できるが、設計面での自由度の制約に対しては問題が残る。何故ならば、貫通孔が接続端子６を装着し得る程度の大きさを要することから、実際にはその貫通孔の設置用にスペースを十分確保する必要があり、複数の貫通孔を隣接して設置することが困難となるであるからである。
【０００６】
そこで、本発明は、上記の問題に鑑みてなされたものであり、書き換え可能なメモリを搭載した回路基板のコスト低減化及び設計自由度の向上を図りつつ、メモリと情報処理装置とを一時的に接続できる接続端子の保持治具を提供することを目的とするものである。
【０００７】
【課題を解決するための手段】
上記の目的を達成するため、本発明による接続端子の保持治具は、情報処理装置にリード線を介して接続された複数の接続端子の各先端を回路基板上の各配線パターンの端部に形成された導体膜上に当接させることにより、前記回路基板に搭載されて前記配線パターンに接続された書き換え可能なメモリに対して前記情報処理装置からの情報信号を授受させる、接続端子の保持治具において、基軸を中心に開閉が可能な一対のアーム部材からなり、それら一対のアーム部材の相互の他端側が圧縮ばねで付勢されて相互の一端側が閉じる方向に付勢され、使用者により前記各他端側が握持されて前記相互の一端側が圧縮ばねの付勢力に抗して開いた状態になり、使用者が前記各他端側の握持を解放すると前記相互の一端側が圧縮ばねの付勢力で閉じてそれら一端側相互の間で前記回路基板を両面から挟持が可能となるように構成されており、いずれか一方のアーム部材の内面に、前記各接続端子が前記各導体膜と対向してその先端が突出するよう設けられるとともに、他方のアーム部材の内面に、前記各接続端子と対向して突部が設けられ、更に、いずれか一方のアーム部材の内面に一対の位置決めピンが突設されるとともに、他方のアーム部材の内面に、前記各位置決めピンと対向して嵌合が可能な位置決め穴が穿設されており、前記一対の位置決めピンを、前記回路基板に貫設された一対の嵌通孔に嵌通させかつ前記一対のアーム部材の相互の一端側を閉じて前記位置決め孔に嵌合させることにより、前記回路基板と各アーム部材とが位置決めされて各接続端子の先端が各導体膜と当接するようになっている
【０００８】
これにより、圧縮バネの付勢力に抗してアーム部材を開き、各位置決めピンを嵌通孔に嵌通させてアーム部材を付勢力の作用で閉じると、各位置決めピンが各位置決め穴に嵌合して回路基板とアーム部材とが位置決めされ、各接続端子の先端が各導体膜と当接して導通しつつ回路基板を挟持し、これにより情報処理装置とメモリとが接続されて情報信号の授受がなされるようになる。
【０００９】
ここで、回路基板上の各導体膜を集約して設計自由度の向上をより図る観点から、前記回路基板の両面に前記配線パターンが形成されるとともに、前記導体膜が前記回路基板の両面で相互に対向配置されており、更に前記各突部が前記接続端子であることが好ましい。
【００１０】
更に、アーム部材の位置決めピンや位置決め穴、及び回路基板の嵌通孔に対する製作容易性を考慮して、前記位置決めピンが断面円形であるとよい。
【００１１】
【発明の実施の形態】
以下に、本発明の実施形態について図面を参照しながら詳述する。先ず、第１実施形態について説明する。図１は第１実施形態における接続端子の保持治具及び回路基板の要部構成を示す分解斜視図、図２はその接続端子の保持治具による回路基板及び情報処理装置の接続動作を説明する縦断面図である。なお、図中で同じ名称の部分には同一の符号を付している。
【００１２】
これらの図に示すように、回路基板３は、ＤＶＤディスクプレーヤ用に好適な不図示の書き換え可能なメモリが搭載（実装）された厚さ１〜２ｍｍ程度の一般的なガラスエポキシ樹脂製のものであって、その両面には、メモリに接続された複数の配線パターン１１、１１’がそれぞれ形成され、更に、各配線パターン１１、１１’の各端部に銅等の導体膜１２、１２’（以下、説明の便宜上、上面側を「上面側導体膜１２」、他方下面側を「下面側導体膜１２’」と記すことがある）が回路基板の両面で相互に対向配置されるように形成されている。ここで本実施形態では、各配線パターン１１、１１’又は各導体膜１２、１２’の相互の間隔が最小０．１５ｍｍ程度であり、各導体膜１２、１２’はφ１ｍｍ程度の円形で、各導体膜１２、１２’ごとで交互に２列に配置されている。また、回路基板３には、詳細は後述するが、各導体膜１２、１２’を挟んで一対の嵌通孔１３が貫設されており、これら各嵌通孔１３はφ１〜２ｍｍ程度の一律径の円形となっている。
【００１３】
このように、本実施形態では、回路基板３に従来のようなソケット部を設ける必要がないことから、コスト低減化が期待できるし、また、回路基板３に各導体膜１２、１２’をそれぞれ集約して隣接配置した上でソケット部の占有スペースが不要であることから、設計面での自由度が向上する。
【００１４】
次に、接続端子の保持治具は、アクリル樹脂等で成形された一対のアーム部材１、２（以下、説明の便宜上、上側を「上側アーム部材１」、他方下側を「下側アーム部材２」と記すことがある）からなり、これらアーム部材１、２は、基軸４を中心に開閉が可能であって、相互の一端側１ａ、２ａが閉じる方向に相互の他端側１ｂ、２ｂが圧縮ばね５で付勢されている。従って、アーム部材１、２に何等外力が付与されなければ、圧縮ばね５の付勢力の作用でアーム部材１、２の一端側１ａ、２ａは相互に閉じた状態に保持され、一方、使用者により各アーム部材１、２の他端側１ｂ、２ｂが握持されれば、圧縮ばね５の付勢力に抗して一端側１ａ、２ａは相互に開いた状態になる。なお、詳細の動作は後述するが、アーム部材１、２の一端側１ａ、２ａが閉じられることにより、相互の間で回路基板３が両面から挟持されることになる。
【００１５】
また、上側アーム部材１の一端側１ａの内面には、回路基板３における各上面側導体膜１２と対向して先端が突出するように複数の接続端子６（以下、「上側接続端子」と記すことがある）が設けられ、他方、下側アーム部材２の一端側２ａの内面には、同様に、各下面側導体膜１２’と対向して先端が突出するように複数の接続端子６’（以下、「下側接続端子」と記すことがある）が設けられている。これら接続端子６、６’は、Ｎｉ等の対摩耗性に富む先端を有するとともに、それらの後端が各アーム部材１、２の外面から延びるリード線７、７’を介してパーソナルコンピュータやジッタ検査機器等の情報処理装置に接続されている。
【００１６】
更に、上側アーム部材１の一端側１ａの内面には、上側接続端子６を挟むとともに、回路基板３の各嵌通孔１３と対向して嵌通が可能な金属製の一対の位置決めピン８が突設されている。他方、下側アーム部材２の一端側２ａの内面には、下側接続端子６’を挟むとともに、回路基板３の各嵌通孔１３と対向、すなわち各位置決めピン８と対向して、嵌合が可能な一対の位置決め穴９が穿設されている。
【００１７】
このような構成の接続端子の保持治具及び回路基板３による情報処理装置とメモリとの接続動作について、図２に基づき説明する。使用者により各アーム部材１、２の各他端側１ｂ、２ｂが握持されて、相互の一端側１ａ、２ａが圧縮ばね５の付勢力に抗して開いた状態になる（図２（ａ）参照）。この状態から、上側アーム部材１の各位置決めピン８を回路基板３の各嵌通孔１３に嵌通させた後、使用者による握持を解放すると、各アーム部材１、２が圧縮ばね５の付勢力の作用で閉じる（図２（ｂ）参照）。
【００１８】
すると、各位置決めピン８が下側アーム部材２の各位置決め穴９に嵌合して回路基板３と各アーム部材１、２とが位置決めされ、各接続端子６、６’の先端が各導体膜１２、１２’と当接して導通しつつ回路基板３を挟持するようになる。これにより情報処理装置とメモリとが接続され、情報処理装置を稼働させて、メモリに対して情報信号の授受がなされる。
【００１９】
その後、再度各アーム部材１、２の各他端側１ｂ、２ｂが握持されて、相互の一端側１ａ、２ａが開かれ、次の回路基板３に対して上記と同様の動作がなされる。
【００２０】
このように本実施形態では、従来と比較して、回路基板３に対するコスト低減化や設計自由度の向上が図れるし、また、使用者に対する接続端子の固定治具の取り扱いが単に各アーム部材１、２の握持のみでなされるので、作業効率の向上も望める。
【００２１】
次に、第２実施形態について図３に基づき説明する。図３は第２実施形態における接続端子の保持治具及び回路基板の構成を示す縦断面図である。なお、図中で図１、２と同じ名称の部分には同一の符号を付し、重複する説明は省略する。
【００２２】
本実施形態の特徴は、第１実施形態における回路基板３の配線パターン及び導体膜の配置を簡素化し、下側アーム部材２の各下側接続端子６’を変形した点にある。つまり、本実施形態では、回路基板３の下面側には、配線パターン及び導体膜が形成されておらず、上面側のみに配線パターン１１及び上面側導体膜１２が形成されている。また、下側アーム部材２の内面には、各下側接続端子６’に代えて、それぞれの同一位置、すなわち上側接続端子６と対向して金属製の突部１０が設けられている。
【００２３】
これにより、情報処理装置とメモリとを接続する際、上側アーム部材１の各位置決めピン８が下側アーム部材２の各位置決め穴９に嵌合して回路基板３と各アーム部材１、２とが位置決めされ、上側接続端子６の各先端が各上面側導体膜１２と当接して導通するとともに、各突部１０が回路基板３の下面に当接しつつ、回路基板３を挟持するようになる。
【００２４】
よって、回路基板３の設計自由度をより向上させる観点からは、回路基板３の両面を活用できる第１実施形態が好ましいが、例えば、搭載されるメモリからの配線パターンが少なくて済む場合には、回路基板３の製作容易性を考慮して、本実施形態のように上面側にのみ配線パターン１１及び上面側導体膜１２を形成する方が望ましい。
【００２５】
なお、本発明は上記の実施形態に限定されず、本発明の趣旨を逸脱しない範囲で、種々の変更が可能である。例えば、各位置決めピン８を下側アーム部材２の方に設けるとともに、各位置決め穴９を上側アーム部材１の方に設けても構わない。また、各位置決めピン８の断面形状は、円形に限らず、三角形や四角形等の多角形であったり、その他十字形等であったりしてもよく、その場合は、位置決め穴９や回路基板３の嵌通孔１３を同様の形状にすることで足りる。また、各アーム部材１、２に付勢力を与える圧縮バネ５を、捩りコイルばね等に置き換えてもよい。
【００２６】
【発明の効果】
以上説明した通り本発明によれば、情報処理装置にリード線を介して接続された複数の接続端子の各先端を回路基板上の各配線パターンの端部に形成された導体膜上に当接させることにより、前記回路基板に搭載されて前記配線パターンに接続された書き換え可能なメモリに対して前記情報処理装置からの情報信号を授受させる、接続端子の保持治具において、基軸を中心に開閉が可能な一対のアーム部材からなり、それら一対のアーム部材の相互の他端側が圧縮ばねで付勢されて相互の一端側が閉じる方向に付勢され、使用者により前記各他端側が握持されて前記相互の一端側が圧縮ばねの付勢力に抗して開いた状態になり、使用者が前記各他端側の握持を解放すると前記相互の一端側が圧縮ばねの付勢力で閉じてそれら一端側相互の間で前記回路基板を両面から挟持が可能となるように構成されており、いずれか一方のアーム部材の内面に、前記各接続端子が前記各導体膜と対向してその先端が突出するよう設けられるとともに、他方のアーム部材の内面に、前記各接続端子と対向して突部が設けられ、更に、いずれか一方のアーム部材の内面に一対の位置決めピンが突設されるとともに、他方のアーム部材の内面に、前記各位置決めピンと対向して嵌合が可能な位置決め穴が穿設されており、前記一対の位置決めピンを、前記回路基板に貫設された一対の嵌通孔に嵌通させかつ前記一対のアーム部材の相互の一端側を閉じて前記位置決め孔に嵌合させることにより、前記回路基板と各アーム部材とが位置決めされて各接続端子の先端が各導体膜と当接するようになっている。
【００２７】
これにより、圧縮バネの付勢力に抗してアーム部材を開き、各位置決めピンを嵌通孔に嵌通させてアーム部材を付勢力の作用で閉じると、各位置決めピンが各位置決め穴に嵌合して回路基板とアーム部材とが位置決めされ、各接続端子の先端が各導体膜と当接して導通しつつ回路基板を挟持し、これにより情報処理装置とメモリとが接続されて情報信号の授受がなされるようになるため、従来と比較して、回路基板にソケット部を設ける必要がないことから、コスト低減化が期待できるし、また、回路基板に各導体膜を隣接配置した上でソケット部の占有スペースが不要であることから、設計自由度の向上が可能となる。
【００２８】
ここで、前記回路基板の両面に前記配線パターンが形成されるとともに、前記導体膜が前記回路基板の両面で相互に対向配置されており、更に前記各突部が前記接続端子であると、回路基板の両面を活用して各導体膜を集約できるため、設計自由度の向上をより図ることが可能となる。
【００２９】
更に、前記位置決めピンが断面円形であると、その位置決めピンのみならず、アーム部材の位置決め穴、及び回路基板の嵌通孔を容易に製作することできるため、製作コストの低減化に対して有効である。
【図面の簡単な説明】
【図１】第１実施形態における接続端子の保持治具及び回路基板の要部構成を示す分解斜視図である。
【図２】第１実施形態の接続端子の保持治具による回路基板及び情報処理装置の接続動作を説明する縦断面図である。
【図３】第２実施形態における接続端子の保持治具及び回路基板の構成を示す縦断面図である。
【図４】従来の接続端子の保持治具及び回路基板の要部構成を示す分解斜視図である。
【符号の説明】
１    アーム部材（上側アーム部材）
２    アーム部材（下側アーム部材）
３    回路基板
４    基軸
５    圧縮ばね
６、６’    接続端子
７、７’    リード線
８    位置決めピン
９    位置決め穴
１０    突部
１１、１１’    配線パターン
１２、１２’    導体膜
１３    嵌通孔
【図１】
0003687746.tif 000002
【図２】
0003687746.tif 000003
【図３】
0003687746.tif 000004
【図４】
0003687746.tif 000005